(57)【要約】      （修正有）【課題】再生可能な紙のみを原材料とし加工を施すことにより環境にやさしく再生可能な低価格な紙製敷台を提供する。【解決手段】小さい方を底を下にして折り込み線にて折り込み、６の様に身の形にする（四方は止めない）。その中に補強材として２本切り込み部分を掛け合わせ５の様に組み立て、６の中にセットする。この時イの長さはハと同寸法、ロの長さは二の半分となる様にする。大きい方の底を上にして折り込み線にて折り込み、６に５をセットした物にかぶせる（四方は止めない）。全体を紙でくるんで包み上げる。その上に４の底板の面積より小さい異なる色の紙を貼り付け色彩の対比をつけることで再生可能な低価格な紙製敷台を構成する。【選択図】図３
0003156256.tif 000002
【実用新案登録請求の範囲】
【請求項１】
図２の１の内、小さい方を底を下にして折り込み線にて折り込み６の様に身の形にする。四方は止めない。その中に補強材として図２の２を２本切り込み部分を掛け合わせ５の様に組み立て６の中にセットする。この時イの長さはハと同寸法、ロの長さは二の半分となる様にする。図２の１の大きい方の底を上にして折り込み線にて折り込み６に５をセットした物にかぶせる。四方は止めない。全体を紙でくるんで包み上げる。その上に４の底板の面積より小さい異なる色の紙２を貼り付け色彩の対比をつけることを特徴とする留め金を使わない再生可能な低価格な紙製敷台。
【請求項２】
図２の１の内、小さい方を底を下にして折り込み線にて折り込み６の様に身の形にする。四方は止めない。その中に補強材として図２の２を２本切り込み部分を掛け合わせ５の様に組み立て６の中にセットする。この時イの長さはハと同寸法、ロの長さは二の半分となる様にする。図２の１の大きい方の底を上にして折り込み線にて折り込み６に５をセットした物にかぶせる。四方は止めない。全体を紙でくるんで包み上げることを特徴とする留め金を使わない再生可能な低価格な紙製敷台。
【請求項３】
請求項１の立ち上がりを持たせた紙の内１枚をかみでくるんで包み上げ固定させ体裁を整えて作られたことを特徴とする留め金を使わない再生可能な低価格な紙製敷台。
【考案の詳細な説明】
【技術分野】
【０００１】
本考案は全てを紙で製作した再生可能で低価格な紙製敷台に関するものである。
【背景技術】
【０００２】
美術品を展示する場合に最もよく使われる従来の敷台は塩素系プラスチックを主な原料とし金型をもって成型されている。
【０００３】
しかしながら従来の塩素系プラスチックを原料をとし金型をもって成型される敷台は廃棄時にダイオキシンを発生させ環境破壊につながる。
また従来の塩素系プラスチックを原料とし金型をもって成型される敷台はその成型に使用する金型の製作に高額な費用を必要としさらには原料の塩素系プラスチックの高騰により高価なものになり美術工芸品の原価を圧迫するという欠点があった。
【考案の概要】
【考案が解決しようとする課題】
【０００４】
本考案は以上のような従来の欠点に鑑み再生可能な紙を原材料とし環境にやさしい敷台を提供することを目的とする。
【０００５】
本考案は以上のような従来の欠点に鑑みコスト削減を図り低価格の敷台を提供することを目的とする。
【課題を解決するための手段】
【０００６】
図２の１の内、小さい方を底を下にして折り込み線にて折り込み６の様に身の形にする。（四方は止めない）その中に補強材として図２の２を２本切り込み部分を掛け合わせ５の様に組み立て６の中にセットする。この時イの長さはハと同寸法、ロの長さは二の半分となる様にする。図２の１の大きい方の底を上にして折り込み線にて折り込み６に５をセットした物にかぶせる。（四方は止めない）。全体を紙でくるんで包み上げる。その上に４の底板の面積より小さい異なる色の紙２を貼り付け色彩の対比をつけて構成された再生可能な低価格な紙製敷台である。
【考案の効果】
【０００７】
以上の説明からあきらかなように、本考案にあたっては次に列挙する効果がえられる。
（１）図２の１の内、小さい方を底を下にして折り込み線にて折り込み６の様に身の形にする。（四方は止めない）その中に補強材として図２の２を２本切り込み部分を掛け合わせ５の様に組み立て６の中にセットする。この時イの長さはハと同寸法、ロの長さは二の半分となる様にする。図２の１の大きい方の底を上にして折り込み線にて折り込み６に５をセットした物にかぶせる。（四方は止めない）。全体を紙でくるんで包み上げる。その上に４の底板の面積より小さい異なる色の紙２を貼り付け色彩の対比をつけて構成されているので廃棄時にダイオキシンを発生することなく環境にやさしい再生可能な敷台ができる。
【０００８】
（２）前記（１）によって金型を使うことなく塩素系プラスチックより廉価な紙を原とするため低価格な敷台を作る事が出来る。
【０００９】
（３）図２の１の内、小さい方を底を下にして折り込み線にて折り込み６の様に身の形にする。（四方は止めない）その中に補強材として図２の２を２本切り込み部分を掛け合わせ５の様に組み立て６の中にセットする。この時イの長さはハと同寸法、ロの長さは二の半分となる様にする。図２の１の大きい方の底を上にして折り込み線にて折り込み６に５をセットした物にかぶせる。（四方は止めない）。全体を紙でくるんで包み上げて構成された敷台も前記（１）（２）と同様な効果が得られる。
【００１０】
（４）請求項３の請求項１の立ち上がりを持たせた紙図２の１の内１枚をかみでくるんで包み上げ固定させ体裁を整え構成された敷台も前記（１）（２）と同様な効果が得られる。
【図面の簡単な説明】
【００１１】
【図１】図１は本考案の最良の形態の完成図である。
【図２】図２は本考案を実施するに必要な部品を表した図である。
【図３】図３は本考案を実施するための組み立て手順を示した図である。
【考案を実施するための形態】
【００１２】
以下、本考案の実施の形態を図に基づいて説明する。
【実施例１】
【００１３】
図２に示した様に再生可能な紙を使用して点線を折り込み線として大小の大きさの異なる１を作製する。同じく再生可能な紙を使用して中央部分に切り込みを入れた板状のもの２を４個作製する。但しＡとＢは同寸法にする。
【実施例２】
【００１４】
図３には本考案の実施手順を示している。図２の１の内、小さい方を底を下にして折り込み線にて折り込み６の様に身の形にする。（四方は止めない）その中に補強材として図２の２を２本切り込み部分を掛け合わせ５の様に組み立て６の中にセットする。この時イの長さはハと同寸法、ロの長さは二の半分となる様にする。図２の１の大きい方の底を上にして折り込み線にて折り込み６に５をセットした物にかぶせる。（四方は止めない）。全体を紙でくるんで包み上げる。その上に４の底板の面積より小さい異なる色の紙２を貼り付け色彩の対比をつける。
【産業上の利用可能性】
【００１５】
本考案は美術工芸品など様々の置物等をセット販売する業界で利用できる。
【符号の説明】
【００１６】
１  本考案の土台となる部分の開閉図
２  本考案の補強材となる部分の組み立て前の図
３  色彩の対比をつけるために貼り付ける、包みあげる紙とは異なる色の紙
４  土台となる部分の内大きい方
５  組み立てられた補強材
６  土台となる部分の内小さい方
Ａ  補強材の組み立て前の部品の短い部分の寸法
Ｂ  土台部分の立ち上がりの寸法
イ  組み立てられた補強材で６の短い部分と接する側の寸法
ロ  組み立てられた補強材で６の長い部分と接する側の寸法
ハ  土台となる部分の内小さい方の短い側の寸法
二  土台となる部分の内小さい方の長い側の寸法
【図１】
0003156256.tif 000003
【図２】
0003156256.tif 000004
【図３】
0003156256.tif 000005
【手続補正書】
【提出日】平成21年10月14日(2009.10.14)
【手続補正１】
【補正対象書類名】実用新案登録請求の範囲
【補正対象項目名】全文
【補正方法】変更
【補正の内容】
【実用新案登録請求の範囲】
【請求項１】
底面と側面から成る第一の紙製の組立体、上面と側面から成る第二の紙製の組立体、本体の上面に設置する紙製の天板、長方形の紙製の板で長辺の中央部に切り込み箇所を設け切り込み箇所どうしを掛け合わせた2組の紙製の補強材、全体を包む紙とから成る全体を紙でくるんで包み上げることで体裁を整えかつ固定させた紙製の敷台であって、底面となる面の4辺に側面となる紙製の板を持たせ底面となる面と側面となる面が直角になるように折り込んだ第一の紙製の組立体に2組の補強材を、それぞれの補強材の短辺が折り込んだ第一の紙製の組立体の４隅又は他方の補強材の短辺のいずれかと接続するように配置し、前記の２組の補強材を内部に配置した、前記の折り込んだ第一の紙製の組立体に上面の4辺に側面となる紙製の板を持たせ上面となる面と側面となる面を直角になるように折り込んだ第二の紙製の組立体をかぶせ、全体を紙でくるんで包み上げ、その上面に上面の面積より小さく、色の異なる紙製の天板を貼り付け色彩の対比をつけたことを特徴とする全て紙で出来た再生可能で低価格な紙製敷台。
【請求項２】
底面と側面から成る第一の紙製の組立体、上面と側面から成る第二の紙製の組立体、長方形の紙製の板で長辺の中央部に切り込み箇所を設け切り込み箇所どうしを掛け合わせた2組の紙製の補強材、全体を包む紙とから成る全体を紙でくるんで包み上げることで体裁を整えかつ固定させた紙製の敷台であって、底面となる面の4辺に側面となる紙製の板を持たせ底面となる面と側面となる面が直角になるように折り込んだ第一の紙製の組立体に2組の補強材を、それぞれの補強材の短辺が折り込んだ第一の紙製の組立体の４隅又は他方の補強材の短辺のいずれかと接続するように配置し、前記の２組の補強材を内部に配置した、前記の折り込んだ第一の組立体に上面の4辺に側面となる紙製の板を持たせ上面となる面と側面となる面を直角になるように折り込んだ第二の紙製の組立体をかぶせ、全体を紙でくるんで包み上げたことを特徴とする全て紙で出来た再生可能で低価格な紙製敷台。
【請求項３】
側面と上面から成る紙製の組立体と全体を包む紙とから成る全体を紙でくるんで包み上げることで体裁を整えかつ固定させた紙製の敷台であって、上面となる面の4辺に側面となる紙製の板を持たせた紙製の組立体で上面となる面と側面となる面が直角になるように折り込み、全体を紙でくるんで包み上げたことを特徴とする全て紙で出来た再生可能で低価格な紙製敷台。